(57)【要約】【課題】本発明は、塗布装置の牽引速度に関わらず、被塗布面の単位面積あたりの塗布量を均一化でき、塗布装置の牽引を停止させることで建築用塗剤等の排出を停止させることができる塗布装置を提供することを目的とする。【解決手段】車輪の回転と連動して回転するシャフトと、該シャフトの回転と連動して作動するポンプと、該ポンプに装着された、液体の排出口と該液体を貯留する容器とをつなぐ配管と、を備えた、塗布装置。【選択図】図１
2019081122.tif 000002
【特許請求の範囲】
【請求項１】
車輪の回転と連動して回転するシャフトと、該シャフトの回転と連動して作動するポンプと、該ポンプに装着された、液体の排出口と該液体を貯留する容器とをつなぐ配管と、を備えた、塗布装置。
【請求項２】
前記シャフトの回転と連動して回転する第１の動力伝達部をさらに備え、前記ポンプが、該第１の動力伝達部の回転と連動して作動する請求項１に記載の塗布装置。
【請求項３】
さらに、前記排出口の後方に塗布用ローラーが設けられている請求項１または２に記載の塗布装置。
【請求項４】
さらに、前記塗布用ローラーの被塗布面に対する高さを調節する高さ調節部が設けられている請求項３に記載の塗布装置。
【請求項５】
前記ポンプが、前記配管を押圧して弾性変形させるローラーチュービングポンプである請求項１乃至４のいずれか１項に記載の塗布装置。
【請求項６】
前記排出口が、前記液体の塗布方向に対して、直交方向に複数配置されている請求項１乃至５のいずれか１項に記載の塗布装置。
【請求項７】
前記第１の動力伝達部の回転に応じて回転する第２の動力伝達部をさらに備え、前記ポンプが、前記第２の動力伝達部の回転と連動して作動し、前記第１の動力伝達部と前記第２の動力伝達部との回転速度の比が変更可能である請求項２に記載の塗布装置。
【請求項８】
前記容器が複数設けられ、前記排出口と前記ポンプとの間に、さらに、前記液体を混合する混合装置が設けられている請求項１乃至７のいずれか１項に記載の塗布装置。
【発明の詳細な説明】
【技術分野】
【０００１】
本発明は、バルコニー、屋上、床面等の建築材の表面への、防水材、塗り床材等といった液体状の建築用塗剤や、屋外における人工芝の設置等の際の接着剤等を塗布するための塗布装置に関するものである。
【背景技術】
【０００２】
従来、建築物のバルコニー、屋上、床面等に、防水材を塗布して防水加工を施す等、建築材に対して建築用塗剤で表面処理を施したり、人工芝の設置等のための接着剤を塗布することがある。被塗布面に建築用塗剤や接着剤を塗布するには、作業者が、被塗布面に散布した建築用塗剤や接着剤を、塗布ローラーを用いて伸ばすことで塗布したり、塗布装置を用いて塗布することが行われている。
【０００３】
塗布装置としては、例えば、防水材、塗り床材等の液体建築用塗剤を入れる容器と、該容器の下部に設けられた液体建築用塗剤の滴下穴と、該滴下穴の下方に設けられた塗布用ローラーとを備え、車輪によって荷重を支持させた状態で容器を牽引して被塗布面を移動しながら上記滴下穴から滴下する液体建築用塗剤を上記塗布用ローラーで塗布する塗布装置が提案されている（特許文献１）。
【０００４】
しかし、特許文献１では、容器の下部に設けられた滴下穴から排出される液体建築用塗剤の排出量は、被塗布面の移動距離とは関連していない。従って、塗布装置の牽引速度が変化してしまうと、被塗布面の単位面積あたりの液体建築用塗剤の排出量も変化してしまい、被塗布面の単位面積あたりの塗布量を均一化することが難しいという問題があった。また、特許文献１では、容器に液体建築用塗剤が入っている限り、滴下穴から液体建築用塗剤が排出され続けるので、塗布装置の牽引を停止させても液体建築用塗剤が排出され続けてしまうという問題があった。
【先行技術文献】
【特許文献】
【０００５】
【特許文献１】実用新案登録第３１３８５７２号公報
【発明の概要】
【発明が解決しようとする課題】
【０００６】
上記事情に鑑み、本発明は、塗布装置の牽引速度に関わらず、被塗布面の単位面積あたりの塗布量を均一化でき、塗布装置の牽引を停止させることで建築用塗剤等の排出を停止させることができる塗布装置を提供することを目的とする。
【課題を解決するための手段】
【０００７】
本発明の態様は、車輪の回転と連動して回転するシャフトと、該シャフトの回転と連動して作動するポンプと、該ポンプに装着された、液体の排出口と該液体を貯留する容器とをつなぐ配管と、を備えた、塗布装置である。
【０００８】
本発明の態様は、前記シャフトの回転と連動して回転する第１の動力伝達部をさらに備え、前記ポンプが、該第１の動力伝達部の回転と連動して作動する塗布装置である。
【０００９】
本発明の態様は、さらに、前記排出口の後方に塗布用ローラーが設けられている塗布装置である。
【００１０】
本発明の態様は、さらに、前記塗布用ローラーの被塗布面に対する高さを調節する高さ調節部が設けられている塗布装置である。
【００１１】
本発明の態様は、前記ポンプが、前記配管を押圧して弾性変形させるローラーチュービングポンプである塗布装置である。
【００１２】
本発明の態様は、前記排出口が、前記液体の塗布方向に対して、直交方向に複数配置されている塗布装置である。
【００１３】
本発明の態様は、前記第１の動力伝達部の回転に応じて回転する第２の動力伝達部をさらに備え、前記ポンプが、前記第２の動力伝達部の回転と連動して作動し、前記第１の動力伝達部と前記第２の動力伝達部との回転速度の比が変更可能である塗布装置である。
【００１４】
本発明の態様は、前記容器が複数設けられ、前記排出口と前記ポンプとの間に、さらに、前記液体を混合する混合装置が設けられている塗布装置である。
【発明の効果】
【００１５】
本発明の態様によれば、第１の動力伝達部を介して、車輪の回転数と連動してポンプが作動するので、塗布装置の牽引速度に関わらず、被塗布面の単位面積あたりの塗布量を均一化でき、また、塗布装置の牽引を停止させることで建築用塗剤等の排出を停止させることができる。
【００１６】
本発明の態様によれば、排出口の後方に塗布用ローラーと、該塗布用ローラーの被塗布面に対する高さを調節する高さ調節部が設けられていることにより、被塗布面に塗布される建築用塗剤等の厚さを均一化しつつ、該厚さを調整することができる。
【００１７】
本発明の態様によれば、ポンプが、配管を押圧して弾性変形させるローラーチュービングポンプであることにより、車輪の回転数とポンプによる液体の移送量とを確実に連動させることができる。また、ポンプがローラーチュービングポンプであることにより、配管の一方端を、液体を貯留する容器から洗浄剤貯蔵容器へ挿入することで、配管内に洗浄液を流通させることができるので、配管の洗浄が容易となる。
【００１８】
本発明の態様によれば、排出口が、液体の塗布方向に対して、直交方向に複数配置されていることにより、幅方向における液体の塗布量をより確実に均一化できる。
【図面の簡単な説明】
【００１９】
【図１】本発明の実施形態例に係る塗布装置の左側面図である。
【図２】本発明の実施形態例に係る塗布装置の右側面図である。
【図３】本発明の実施形態例に係る塗布装置の平面図である。
【図４】本発明の実施形態例に係る塗布装置の底面図である。
【発明を実施するための形態】
【００２０】
以下、本発明の実施形態例に係る塗布装置について、図面を用いながら説明する。
【００２１】
図１〜４に示すように、本発明の実施形態例に係る塗布装置１は、牽引台１０の裏面（被塗布面側）に備えられた車輪１１と、車輪１１の回転と連動して回転駆動するシャフト１２と、シャフト１２の回転と連動して回転駆動する第１の動力伝達部である第１のギア１３と、第１のギア１３の回転と連動して作動する牽引台１０の表面に備えられたポンプ２１と、ポンプ２１に装着された、建築用塗剤等の液体の排出口３１と建築用塗剤等の液体を貯留する容器２３とをつなぐ配管２２と、を備えている。
【００２２】
従って、作業車が塗布装置１を牽引して、車輪１１を回転駆動させることで、シャフト１２と第１のギア１３が共通に回転駆動し、第１のギア１３が回転することでポンプ２１が駆動する。ポンプ２１が駆動することで、容器２３に貯留されている建築用塗剤等の液体が、容器２３から配管２２を通って排出口３１へ移送される。
【００２３】
牽引台１０は平板状である。車輪１１は、牽引台１０の一方端に設置された、第１のシャフト１２−１の両端に固定された第１の車輪１１−１と、牽引台１０の他方端に設置された、第２のシャフト１２−２の両端に固定された第２の車輪１１−２とからなる。被塗布面上に置かれた車輪１１が回転することで、塗布装置１が被塗布面上を移動する。
【００２４】
図４に示すように、第１のシャフト１２−１には、外周面上に所定数の歯を有する第１のギア（歯車）１３が取り付けられている。第１のギア１３は、平面の中心部に形成された貫通孔（図示せず）に第１のシャフト１２−１を嵌挿することで、第１のシャフト１２−１に固定されている。従って、第１のギア１３は、平面の中心部に回転軸を有している。第１のシャフト１２−１が回転することに応じて第１のギア１３が中心部を回転軸に回転駆動する。また、第１のシャフト１２−１の回転数の変化に応じて、第１のギア１３の回転数も変化し、第１のシャフト１２−１の回転が停止することに応じて、第１のギア１３の回転も停止する。
【００２５】
また、図１、２、３に示すように、牽引台１０には、第１の車輪１１−１と第２の車輪１１−２との間に、第２の動力伝達部である第２のギア（歯車）１４が設けられている。第２のギア１４は、牽引台１０の表面側に配置されている。
【００２６】
第１のギア１３と第２のギア１４とは、ローラーチェーン１６によって連結されている。よって、第１のギア１３と第２のギア１４は、スプロケットとして機能する。従って、第１のギア１３の動力は、ローラーチェーン１６を介して第１のギア１３から第２のギア１４へ伝達される。すなわち、第１のギア１３の回転により、第２のギア１４が回転駆動する。
【００２７】
また、第１のギア１３の回転数の変化に応じて、第２のギア１４の回転数も変化し、第１のギア１３の回転が停止することに応じて、第２のギア１４の回転も停止する。
【００２８】
牽引台１０の表面側には、第２のギア１４に隣接して、ポンプ２１が設置されている。ポンプ２１の駆動によって、容器２３に貯留された液体が、容器２３から排出口３１へ移送される。ポンプ２１の種類は、特に限定されないが、車輪１１の回転数とポンプ２１による液体の移送量とを確実に連動させることができることから、塗布装置１では、ローラーチュービングポンプ２１が用いられている。
【００２９】
第２のギア１４は、平面の中心部に回転軸を有している。第２のギア１４の回転軸とローラーチュービングポンプ２１のローラー部２４の回転軸とを軸支する軸受け２５によって、第２のギア１４とローラーチュービングポンプ２１のローラー部２４とが連結、固定されている。第２のギア１４が回転することで、軸受け２５が回転駆動する。また、軸受け２５が回転することで、ローラーチュービングポンプ２１のローラー部２４が、第２のギア１４と共通に回転駆動する。第２のギア１４の回転数の変化に応じて、ローラーチュービングポンプ２１のローラー部２４の回転数も変化する。さらに、ローラーチュービングポンプ２１のローラー部２４の回転数が変化することで、容器２３から排出口３１へ移送される液体の移送量が変動する。また、第２のギア１４の回転が停止することに応じて、ローラーチュービングポンプ２１のローラー部２４の回転も停止し、容器２３から排出口３１への液体の移送も停止する。容器２３から排出口３１への液体の移送が停止することで、塗布装置１からの液体の排出が停止する。
【００３０】
図１、２、３に示すように、牽引台１０の表面側には、液体を貯留するための容器２３が設置されている。容器２３は、牽引台１０の一方端である第１の車輪１１−１上に配置されている。さらに、図４に示すように、牽引台１０の他方端には、容器２３に貯留されていた液体を被塗布面へ排出するための排出口３１が設けられている。排出口３１は、被塗布面に対向する牽引台１０の裏面側に設置されている。塗布装置１では、排出口３１が複数設けられている。複数の排出口３１は、液体の塗布方向に対して直交方向、すなわち、シャフト１２の長手方向に対して平行方向に、等間隔に並列配置されている。
【００３１】
図１、２、３に示すように、容器２３内部と排出口３１とは、所望の内径を有する配管２２によって連通されている。すなわち、配管２２の一方端（一方の開口端部）は、容器２３内部に挿入され、配管２２の他方端（他方の開口端部）は、排出口３１と連結されている。従って、容器２３に貯留されている液体は、配管２２内を通って排出口３１へ移送され、排出口３１から被塗布面上へ排出される。
【００３２】
配管２２の中央部２２−１は、ローラーチュービングポンプ２１に装着されている。ローラーチュービングポンプ２１のローラー部２４外面とローラー部２４の周囲に設けられた周壁面に、配管２２の中央部２２−１が狭持されている。ローラー部２４が回転駆動することで、上記のように狭持されている配管２２の中央部２２−１が押圧されて弾性変形する。ローラーチュービングポンプ２１は、配管２２の中央部２２−１が弾性変形することで、容器２３に貯留されている液体を、容器２３から排出口３１へ移送して、排出口３１から被塗布面上へ排出する。配管２２の材質としては、例えば、長手方向及び径方向の変形が容易な材料、具体的には、樹脂等が挙げられる。
【００３３】
排出口３１の後方には、塗布用ローラー４１が設けられている。塗布用ローラー４１の外形は円筒形となっている。また、塗布装置１では、排出口３１から塗布用ローラーホルダー４２が後方へ延在している。塗布用ローラーホルダー４２に塗布用ローラー４１がその回転軸にて回転可能に軸支されている。塗布装置１が牽引されることで、塗布用ローラー４１が被塗布面上で回転しながら移動する。排出口３１から被塗布面上へ排出された液体は、塗布用ローラー４１の回転移動によって、被塗布面に塗布される。
【００３４】
排出口３１から被塗布面上へ排出された液体は、塗布用ローラー４１によって、塗り拡げられていくので、塗布される液体の厚さを均一化できる。また、塗布装置１では、複数の排出口３１が液体の塗布方向に対して直交方向に略等間隔に並列配置されているので、液体の塗布方向に対して直交方向において、液体の塗布量を均一化できる。
【００３５】
なお、図４に示すように、液体の塗布方向に対して直交方向に並列配置された排出口３１のうち、両端部に配置された排出口３１は、第１の車輪１１−２及び第２の車輪１１−２よりも外側に位置している。すなわち、第１の車輪１１−２及び第２の車輪１１−２は、両端部の排出口３１よりも内側に位置している。従って、塗布装置１が被塗布面上にて折り返し運動を繰り返しながら被塗布面全体に液体を塗布していく場合に、第１の車輪１１−２及び第２の車輪１１−２が、既に塗布された液体に接触することを防止できる態様となっている。
【００３６】
また、図１、２に示すように、塗布装置１では、塗布用ローラーホルダー４２に、塗布用ローラー高さ調節部４３が取り付けられている。塗布用ローラー高さ調節部４３は、塗布用ローラー４１の被塗布面からの高さを調整するためのものである。塗布用ローラー４１の被塗布面からの高さが調節されることで、被塗布面上に塗布される液体の厚さを調節することができる。塗布用ローラー高さ調節部４３は、例えば、牽引台１０と塗布用ローラーホルダー４２とを接続するネジ部材である。ネジ部材にて牽引台１０に塗布用ローラーホルダー４２を接続する際に、牽引台１０表面と塗布用ローラーホルダー４２との角度を調整することで、塗布用ローラー４１の被塗布面からの高さを調節することができる。
【００３７】
塗布装置１では、液体を容器２３から排出口３１へ移送するポンプ２１が、車輪１１の回転と連動して作動するので、塗布装置１の牽引速度に関わらず、被塗布面の単位面積あたりの液体の塗布量を均一化できる。また、塗布装置１の牽引を停止させることでポンプ２１の作動も停止するので、塗布装置１の牽引を停止させることで、液体の排出を確実に停止させることができる。
【００３８】
塗布装置１が塗布する液体としては、例えば、建築用塗剤や接着剤を挙げることができる。また、建築用塗剤としては、特に限定されないが、例えば、防水材、塗り床材、各種プライマー等を挙げることができる。
【００３９】
次に、本発明の塗布装置の他の実施形態例について説明する。
【００４０】
上記実施形態例に係る塗布装置１では、液体を貯留する容器２３が１つ、これに対応して、ポンプ２１も１つ設けられていたが、これに代えて、液体を貯留する容器２３が複数（例えば、２つ）、これに対応して、ポンプ２１も複数（例えば、２つ）設けられてもよい。また、ポンプ２１を複数設置する場合、ポンプ２１と排出口３１との間に、混合装置を配置してもよい。
【００４１】
複数の容器２３に、それぞれ、異なる種類の建築用塗剤等の液体を入れると、上記混合装置にて、異なる種類の液体が混合された混合液が得られた後、排出口３１から該混合液が排出される。また、必要に応じて、それぞれの容器２３に連通した配管２２の内径やそれぞれの配管２３が装着されたローラーチュービングポンプ２１のローラーの回転数を調整することで、異なる種類の液体の混合割合を調整することができる。
【００４２】
混合装置としては、特に限定されないが、液体と液体とを効果的に、撹拌、混合できる点から、例えば、スタティックミキサーを挙げることができる。
【００４３】
また、上記実施形態例に係る塗布装置１では、第１のギア１３と第２のギア１４とのギア比、すなわち、回転速度の比は固定されていたが、これに代えて、第１のギア１３と第２のギア１４とのギア比が変更可能である態様としてもよい。第１のギア１３と第２のギア１４とのギア比を変更することで、単位面積あたりの液体の塗布量を変更することができる。
【００４４】
第１のギア１３と第２のギア１４とのギア比を変更する構成としては、例えば、第２のギア１４を、複数のギアとギア比の切り替え機構とを有する変速機とすることが挙げられる。また、前記変速機は、ベルトとプーリーを用いた無段階変速機としてもよい。さらに、第１のギア１３または第２のギア１４を交換することで、第１のギア１３と第２のギア１４とのギア比を所望の値に変更することができる。
【００４５】
上記実施形態例に係る塗布装置１では、動力伝達部としてギア（歯車）を用いたが、動力を伝達できる部材であれば、ギアに限定されず、例えば、磁力を用いた非接触型の動力伝達機構等を用いてもよい。
【００４６】
上記実施形態例に係る塗布装置１では、シャフト１２の回転と連動して回転駆動する第１の動力伝達部を備え、ポンプ２１は第１の動力伝達部の回転と連動して作動していた、すなわち、シャフト１２の動力は第１の動力伝達部を介してポンプ２１に伝達されていたが、これに代えて、ギア等の動力伝達部を介さずに（すなわち、ギア等の動力伝達部を設けずに）シャフト１２の動力がポンプ２１に伝達されてもよい。
【００４７】
ギア等の動力伝達部を介さずにシャフト１２の動力がポンプ２１に伝達される構成の場合、例えば、車輪１１の円周のサイズを調整することで、単位被塗布面積あたりのポンプ２１の液体移送量を調整することができる。
【産業上の利用可能性】
【００４８】
本発明の塗布装置は、塗布装置の牽引速度に関わらず、被塗布面の単位面積あたりの塗布量を均一化でき、また、塗布装置の牽引を停止させることで液体の排出を停止させることができるので、被塗布面積が広い分野、例えば、建築物のバルコニー、屋上、床面等に、防水材を塗布して防水加工を施したり、人工芝の設置等のための接着剤を塗布する等、建築材に対して液体の建築用塗剤や接着剤等を塗布する分野で、利用価値が高い。
【符号の説明】
【００４９】
１                      塗布装置
１１                    車輪
１２                    シャフト
１３                    第１のギア
１４                    第２のギア
２１                    ポンプ
２２                    配管
２３                    容器
３１                    排出口
４１                    塗布用ローラー
４３                    塗布用ローラー高さ調節部
【図１】
2019081122.tif 000003
【図２】
2019081122.tif 000004
【図３】
2019081122.tif 000005
【図４】
2019081122.tif 000006